(57)【特許請求の範囲】
【請求項１】
ネットワーク上に配置された第１の端末のアドレスと前記第１の端末の通信先のアドレスとを含むセッション情報をハンドオーバマネジメント情報として管理し、
前記第１の端末から前記第１の端末のハンドオーバ先である第２の端末へのハンドオーバの際には、
前記第１の端末は、前記第１の端末のアドレスと前記第２の端末のアドレスとを含むｂｉｎｄ情報をハンドオーバマネジメント情報に追加し、前記ハンドオーバマネジメント情報に基づいて前記第１の端末を管理する第１のホームエージェント（ＨＡ）と前記第２の端末を管理する第２のＨＡとの間の通信のカプセリングを行うとともに前記通信先から前記第１の端末への通信の宛先アドレスを前記第１のＨＡにおいて前記第２の端末のアドレスに書き換え、前記第２の端末から前記通信先への通信の送信元のアドレスを前記第１のＨＡにおいて前記第１の端末のアドレスに書き換える、端末間セッションハンドオーバ方法。
【請求項２】
前記第１のＨＡと前記第２のＨＡとの間のカプセリングは、前記第２の端末から前記通信先への通信を受信したとき、前記ハンドオーバマネジメント情報に該当エントリがある場合に、前記第２の端末から前記通信先への通信を前記第１の端末のＨＡに転送するためのカプセリングである、請求項１に記載の端末間セッションハンドオーバ方法。
【請求項３】
ネットワーク上に配置された第１の端末と、
前記第１の端末のハンドオーバ先である第２の端末と、
前記第１の端末のアドレスと前記第１の端末の通信先のアドレスとを含むセッション情報をハンドオーバマネジメント情報として管理するセッション管理サーバと、
前記ハンドオーバマネジメント情報に基づいて前記第１の端末を管理する第１のホームエージェント（ＨＡ）と、
前記第２の端末を管理する第２のＨＡと、を備え、
前記第１の端末から前記第２の端末へのハンドオーバの際には、
前記第１の端末は、前記第１の端末のアドレスと前記第２の端末のアドレスとを含むｂｉｎｄ情報を前記ハンドオーバマネジメント情報に追加し、前記ハンドオーバマネジメント情報に基づいて前記第１のＨＡと前記第２のＨＡとの間の通信のカプセリングを行うとともに前記通信先から前記第１の端末への通信の宛先アドレスを前記第１のＨＡにおいて前記第２の端末のアドレスに書き換え、前記第２の端末から前記通信先への通信の送信元のアドレスを前記第１のＨＡにおいて前記第１の端末のアドレスに書き換える、
ネットワークシステム。
【請求項４】
前記第１のＨＡと前記第２のＨＡとの間のカプセリングは、前記第２の端末から前記通信先への通信を受信したとき、前記ハンドオーバマネジメント情報に該当エントリがある場合に、前記第２の端末から前記通信先への通信を前記第１の端末のＨＡに転送するためのカプセリングである、請求項３に記載のネットワークシステム。
【請求項５】
コンピュータに請求項１又は２に記載された手順を実行させるためのプログラム。
【発明の詳細な説明】
【技術分野】
【０００１】
本発明は、移動通信サービスにおける端末のモビリティ管理方法に関し、特に、通信中のセッションを異なるモバイル端末間で切り換える技術に関する。
【背景技術】
【０００２】
無線帯域の狭いセルラー端末から広帯域なＷｉＭＡＸ等の端末へ通信中のセッションを乗せ換える、すなわち端末間のハンドオーバを行う場合、従来技術では、切り換え後の端末が通信相手との間でＳＩＰ等のセッションプロトコルによるネゴシエーションを行い、この過程で新しいＩＰアドレスを使った新規のセッションを構築する。【０００３】
ＩＰアドレスの変更は、そのままでは通信中のセッションを切断することにつながるが、セッション層の実装にてアプリケーションにＩＰアドレスの変更を認識させない技術の検討も行われている。【０００４】
現在、移動通信の標準化組織では、移動網への加入者識別子を持った携帯電話と、近距離接続で結ばれた複数の周辺端末とが作るネットワークを、ＰＡＮ（Personal Area Network）と呼んで、そのアーキテクチャが提案されている。上記端末間ハンドオーバはＰＡＮにおいても適用される技術である。【０００５】
現状の携帯電話は、他の周辺端末との接続に赤外線通信やＵＳＢを利用できる。一方、パソコン等で近距離無線接続を実現する技術としては、ＷＬＡＮやＢｌｕｅｔｏｏｔｈ、ＺｉｇＢｅｅなどがある。【０００６】
ＩＥＴＦの定めるＭｏｂｉｌｅＩＰ技術においては、端末はホームアドレスＨｏＡおよびケアオブアドレスＣｏＡを保持し、この対応がホームエージェントＨＡによって管理されている。端末宛てのＤｏｗｎｌｉｎｋパケットは、ホームエージェントＨＡによって捕獲され、ケアオブアドレスＣｏＡでカプセリングされた後、端末に転送される。また、端末発のＵｐｌｉｎｋパケットは、ＨＡまでカプセリングするリバーストンネリングや、通信相手であるＣＮとの間の経路最適化を通じて送信される。ＭｏｂｉｌｅＩＰには、ＣｏＡの持ち方の違いで方式が幾つかあるが、端末が個別にＣｏＡを持つ方式はＩＰｖ６で採用され、ＩＰｖ４の場合には同様の方式がＣｏ−ｌｏｃａｔｅｄ  ＣｏＡとして規定されている。【０００７】
ここで、ホームエージェント（ＨＡ）と第１の外部エージェント（ＦＡ）の間の第１のデータパスにおいて、ＨＡと無線端末の間のデータフローのための予約が確立され、無線端末が第２のＦＡと関連付けられると、第１のＦＡと第２のＦＡの間にサービス品質をサポートする第２のデータパスが確立され、データフローは、そのサービス品質を維持するために第１および第２のデータパスを経由して転送され、無線通信網は、ＨＡと第１のＦＡを結ぶ第１の下流および逆方向トンネルを含み、各トンネルにはサービス品質を維持するために予約が確立されており、第２の下流および逆方向トンネルは、ＨＡと第２のＦＡを結ぶ。無線端末が第１のＦＡから第２のＦＡへハンドオーバする際には、第１のトンネルによって予約されたリソースの全てまたは一部が第２のトンネルにより共有されることで、無線通信網においてサービス品質を維持することができる技術が提案されている（例えば、特許文献１参照）。
【特許文献１】特開２００４−１７３２７４号公報
【発明の開示】
【発明が解決しようとする課題】
【０００８】
しかしながら、上述した従来例においては次のような問題点があった。【０００９】
端末間ハンドオーバ時にセッションを継続する方法として、セッション層の実装にてアプリケーションにＩＰアドレスの変更を認識させない方法が可能だが、この場合はセッションごとにハンドオーバに対応した実装が必要となり、汎用ではなくなる。従い、ＩＰアドレスを変更しない方式が望ましい。【００１０】
また、モバイル端末同士の間のハンドオーバを解決する場合に、以下の問題が浮上する。今、別々のＭｏｂｉｌｅＩＰ  ＨＡにてモビリティ管理された端末Ａと端末Ｂの間でセッションハンドオーバを行う場合、Ｄｏｗｎｌｉｎｋパケットについては、ＨＡにて宛先を端末Ａから端末Ｂに付け替える（ＮＡＴ動作）ことで配送可能だが、Ｕｐｌｉｎｋについては、単純に配送すると送信元が端末Ｂになるため、端末Ａの情報しか持たない通信相手が矛盾に陥ってしまう。このように、Ｕｐｌｉｎｋパケット配送を正常に行うことができない。【００１１】
本発明は、以上説明した事情に鑑みてなされたものであり、その目的は、モバイル端末同士の間のハンドオーバを可能とするシステムを提供することにある。
【課題を解決するための手段】
【００１２】
本発明の端末間セッションハンドオーバ方法は、ネットワーク上に配置された第１の端末のアドレスと第１の端末の通信先のアドレスとを含むセッション情報をハンドオーバマネジメント情報として管理し、第１の端末から第１の端末のハンドオーバ先である第２の端末へのハンドオーバの際には、第１の端末は、第１の端末のアドレスと第２の端末のアドレスとを含むｂｉｎｄ情報をハンドオーバマネジメント情報に追加し、ハンドオーバマネジメント情報に基づいて第１の端末を管理する第１のホームエージェント（ＨＡ）と第２の端末を管理する第２のＨＡとの間の通信のカプセリングを行うとともに通信先から第１の端末への通信の宛先アドレスを第１のＨＡにおいて第２の端末のアドレスに書き換え、第２の端末から通信先への通信の送信元のアドレスを第１のＨＡにおいて第１の端末のアドレスに書き換える。
【００１３】
本発明のネットワークシステムは、ネットワーク上に配置された第１の端末と、第１の端末のハンドオーバ先である第２の端末と、第１の端末のアドレスと第１の端末の通信先のアドレスとを含むセッション情報をハンドオーバマネジメント情報として管理するセッション管理サーバと、ハンドオーバマネジメント情報に基づいて第１の端末を管理する第１のホームエージェント（ＨＡ）と、第２の端末を管理する第２のＨＡと、を備え、第１の端末から第２の端末へのハンドオーバの際には、第１の端末は、第１の端末のアドレスと第２の端末のアドレスとを含むｂｉｎｄ情報をハンドオーバマネジメント情報に追加し、ハンドオーバマネジメント情報に基づいて第１のＨＡと第２のＨＡとの間の通信のカプセリングを行うとともに通信先から第１の端末への通信の宛先アドレスを第１のＨＡにおいて第２の端末のアドレスに書き換え、第２の端末から通信先への通信の送信元のアドレスを第１のＨＡにおいて第１の端末のアドレスに書き換える。
【発明の効果】
【００１７】
本発明によれば、モバイル端末同士の間のセッションハンドオーバ、ＩＰアドレスを変更せず、アプリケーションごとの対応が不要な端末間ハンドオーバおよび端末もしくはＨＡにおける特別な機能の搭載が不要な端末間ハンドオーバが可能となる。
【発明を実施するための最良の形態】
【００１８】
以下、本発明の第１の実施の形態について図面を参照して詳細に説明する。【００１９】
図１に本実施の形態におけるネットワークシステムのシステム構成図を示す。端末Ａ１はモバイル網１１のサービスに加入している端末であり、モバイル網１１との通信インタフェースの他に端末Ｂ２との間の近距離通信インタフェースを有する。この近距離通信インタフェースを通じ、端末Ｂのｂｉｎｄ情報１７を取得する。【００２０】
端末Ｂ２は物理的に端末Ａ１と近距離にあり、モバイル網１２のサービスに加入している。また、モバイル網１２との通信インタフェースの他に端末Ａ１との間の近距離通信インタフェースを有する。【００２１】
ここで、端末Ａ１、端末Ｂ２を近距離通信で結ばれた網としてＰＡＮ（Personal Area Network）１０と呼んでいる。【００２２】
ＣＮ（Correspondent Node）３は、通信相手の端末である。【００２３】
端末Ａのモバイル網１１にはセッション管理サーバ８、ホームエージェントＨＡ＿Ａ４が設置されている。【００２４】
セッション管理サーバ８にはｂｉｎｄ情報管理機能９が搭載され、ここにハンドオーバマネージメント情報１３が保持されている。【００２５】
ホームエージェントＨＡ＿Ａ４にはアドレス変換機能５が搭載され、ここにｂｉｎｄ情報管理機能９から転送されたハンドオーバマネージメント情報１４が保持されている。【００２６】
端末Ｂのモバイル網１２にはホームエージェントＨＡ＿Ｂ６が設置されている。【００２７】
ホームエージェントＨＡ＿Ｂ６にはＨＡ間カプセリング機能７が搭載され、ここにｂｉｎｄ情報管理機能９から転送されたハンドオーバマネージメント情報１５が保持されている。【００２８】
次に、本実施の形態の動作について図２を参照して詳細に説明する。【００２９】
端末Ａ１はＭｏｂｉｌｅＩＰ技術を搭載しており、ホームアドレスＨｏＡ＿ＡがＡ、ケアオブアドレスＣｏＡ＿Ａがａで、ホームエージェントＨＡ＿Ａ４（アドレス：Ｘ）によって管理されている。【００３０】
端末Ｂ２も同様にＭｏｂｉｌｅＩＰ技術を搭載しており、ホームアドレスＨｏＡ＿ＢがＢ、ケアオブアドレスＣｏＡ＿Ｂがｂで、ホームエージェントＨＡ＿Ｂ６（アドレス：Ｙ）によって管理されているが、Ｕｐｌｉｎｋの通信時には、経路最適化を行わず必ずホームエージェントＨＡ＿Ｂ６までリバーストンネリングで送信する。【００３１】
端末Ａ１がＣＮ３（アドレス：Ｃ１）との間でＶｏＩＰ等の通信を開始するとき、セッション管理サーバ８経由でＥｎｄ  ｔｏ  Ｅｎｄのセッション構築を行う。このとき、セッション管理サーバ８中のｂｉｎｄ情報管理機能９にて、端末Ａ１およびＣＮ３のセッション情報（Ａ、Ｃ１）がハンドオーバマネージメント情報１３の一部として保持される。【００３２】
今、ユーザが端末Ａ１のアドレスを維持したまま通信を継続させる目的で端末Ｂ２を端末Ａ１に従属させたいとき、端末Ａ１は、端末間の近距離通信インタフェースを通じて端末Ｂ２のアドレス（ホームアドレス：Ｂ、ケアオブアドレス：ｂ）および利用しているＨＡ＿Ｂ６のアドレス（Ｙ）を、端末Ｂのｂｉｎｄ情報１７として取得する。【００３３】
ユーザが通信中のセッションを端末Ａ１から端末Ｂ２へハンドオーバしたいとき、そのためのトリガをｂｉｎｄ情報管理機能９へ送信し、このとき端末Ｂ２とのｂｉｎｄ情報（Ａ、Ｂ、Ｘ、Ｙ）を通知する。【００３４】
ｂｉｎｄ情報管理機能９は、端末Ａ１よりハンドオーバトリガを受けると、前記セッション情報に端末Ｂ２とのｂｉｎｄ情報を追加して、ハンドオーバマネージメント情報１３（Ａ、Ｂ、Ｘ、Ｙ、Ｃ１）として保持する。そして、アドレスを取得したホームエージェントＨＡ＿Ａ４およびＨＡ＿Ｂ６に対して本情報１３を転送し、それぞれが保持する（１４、１５）。【００３５】
ユーザデータのフロー（Ｄｏｗｎｌｉｎｋ）
ＣＮ３（アドレス：Ｃ１）からの端末Ａ１（ホームアドレス：Ａ）宛てのＤｏｗｎｌｉｎｋパケットは、ホームエージェントＨＡ＿Ａ４のアドレス変換機能５によって捕獲され、ハンドオーバマネージメント情報１４中に（Ａ、Ｃ１）のｂｉｎｄ情報があることを検知した上で、宛先を端末Ｂ２のホームアドレスであるＢに書き換えて送信する。【００３６】
宛先がＢであるパケットはホームエージェントＨＡ＿Ｂ６のサブネットに送信され、ＨＡ＿Ｂ６にて捕獲される。ここで、端末Ｂ２のケアオブアドレスＣｏＡ＿Ｂ(ｂ)にてカプセリングされた後、端末Ｂ２に転送される。【００３７】
こうして、それまで端末Ａ１−ＣＮ３間で構築されていたセッションは端末Ｂ２−ＣＮ３間のセッションとして開始される。【００３８】
ユーザデータのフロー（Ｕｐｌｉｎｋ）
端末Ｂ２（ホームアドレス：Ｂ）からＣＮ３（アドレス：Ｃ１）宛てのＵｐｌｉｎｋパケットは、ホームエージェントＨＡ＿Ｂ６までリバーストンネリングにてカプセリングして送信する（１６）。このとき、外側のヘッダの宛先はＨＡ＿Ｂ６（アドレス：Ｙ）であり、送信元は端末Ｂ２（ケアオブアドレス：ｂ）である。【００３９】
ホームエージェントＨＡ＿Ｂ６がカプセリングパケットを受信すると、リバーストンネリングのパケットであることを検知した上でデカプセリングし、ＨＡ間カプセリング機能７に渡す。ＨＡ間カプセリング機能７は、ハンドオーバマネージメント情報１５中に（Ｂ、Ｃ１）のｂｉｎｄ情報があることを検知した上で、ホームエージェントＨＡ＿Ａ４に転送するため、宛先がＨＡ＿Ａ４（アドレス：Ｘ）、送信元がＨＡ＿Ｂ６（アドレス：Ｙ）のカプセリングを行って転送する。【００４０】
ホームエージェントＨＡ＿Ａ４がカプセリングパケットを受信すると、外側のヘッダの宛先が自身のアドレス（Ｘ）であることを検知した上で内部のヘッダの送信元と宛先を参照し、ハンドオーバマネージメント情報１４中に（Ｂ、Ｃ１）のｂｉｎｄ情報があることを検知した上でデカプセリングし、アドレス変換機能５に渡す。【００４１】
アドレス変換機能５は、保持しているハンドオーバマネージメント情報１４を参照して、送信元を端末Ａ１のホームアドレスであるＡに書き換えてＣＮ３へ送信する。【００４２】
こうして、それまで端末Ａ１−ＣＮ３間で構築されていたセッションは端末Ｂ２−ＣＮ３間のセッションとして開始される。【００４３】
なお、ｂｉｎｄ情報管理機能はセッション管理サーバ以外に搭載してもよく、例えばＨＡに搭載することも可能で、その場合はセッションを構築する通信相手のアドレス情報をＨＡにおけるＤｏｗｎｌｉｎｋのユーザデータ処理時に保持する。【００４４】
また、ｂｉｎｄ情報管理機能はｂｉｎｄ情報管理サーバとして独立に設置してもよく、その場合はセッション管理サーバやＨＡと通信することでセッションを構築する通信相手のアドレス情報を取得する。【００４５】
また、上記の第１の実施の形態では、通信相手から見えるＰＡＮ側の端末アドレスを端末Ａのホームアドレスで不変とするため、端末Ａのモバイル網と端末Ｂのモバイル網で非対称な装置構成、機能構成となっているが、同様に端末Ｂのホームアドレスで不変とする場合には、セッション管理サーバ（ｂｉｎｄ情報管理機能を保持）を端末Ｂのモバイル網に設置し、端末Ｂの利用しているＨＡにアドレス変換機能を搭載させることで可能となる。その場合、各ＨＡには、アドレス変換機能およびＨＡ間カプセリング機能の両方が搭載されることになる。【００４６】
また、端末ＢからのＵｐｌｉｎｋのユーザデータ送信時に、パケットが端末ＢのＨＡを経由して端末ＡのＨＡにルーティングされるようにカプセリングを多重に施すことで、ＨＡ間カプセリング機能を省くことが可能である。ただし、端末Ｂにこのような特殊なカプセリングの仕組みが必要となる。【００４７】
次に、図３、図４を参照して、本発明の第２の実施の形態について述べる。３ＧＰＰ網２８のサービスに加入している３ＧＰＰ端末１８とＷｉＭＡＸ網２９のサービスに加入しているＷｉＭＡＸ端末１９が物理的に近距離にあり、ＰＡＮ２７を形成している場合である。【００４８】
３ＧＰＰ端末１８はＭｏｂｉｌｅＩＰ技術を搭載しており、ホームアドレスＨｏＡ＿ＡがＡ、ケアオブアドレスＣｏＡ＿Ａがａで、ホームエージェントＨＡ＿Ａ２１（アドレス：Ｘ）によって管理されている。【００４９】
ＷｉＭＡＸ端末１９も同様にＭｏｂｉｌｅＩＰ技術を搭載しており、ホームアドレスＨｏＡ＿ＢがＢ、ケアオブアドレスＣｏＡ＿ＢがＢで、ホームエージェントＨＡ＿Ｂ２３（アドレス：Ｙ）によって管理されているが、Ｕｐｌｉｎｋの通信時には、経路最適化を行わず必ずホームエージェントＨＡ＿Ｂ２３までリバーストンネリングで送信する。【００５０】
３ＧＰＰ端末１８がＣＮ２０（アドレス：Ｃ１）との間でＶｏＩＰ等の通信を開始するとき、ＳＩＰ  Ｓｅｒｖｅｒ２５経由でＥｎｄ  ｔｏ  ＥｎｄのＳＩＰセッション構築を行う。このとき、ＳＩＰ  Ｓｅｒｖｅｒ２５中のＰＡＮ管理機能２６にて、３ＧＰＰ端末１８およびＣＮ２０のＳＩＰセッション情報（Ａ、Ｃ１）がハンドオーバマネージメント情報３０の一部として保持される。【００５１】
今、ユーザが３ＧＰＰ端末１８のアドレスを維持したまま通信を継続させる目的でＷｉＭＡＸ端末１９を３ＧＰＰ端末１８に従属させたいとき、３ＧＰＰ端末１８は、端末間の近距離通信インタフェースを通じてＷｉＭＡＸ端末１９のアドレス（ホームアドレス：Ｂ、ケアオブアドレス：ｂ）および利用しているＨＡ＿Ｂ２３のアドレス（Ｙ）を、ＷｉＭＡＸ端末のｂｉｎｄ情報３４として取得する。【００５２】
ユーザが通信中のＳＩＰセッションを３ＧＰＰ端末１８からＷｉＭＡＸ端末１９へハンドオーバしたいとき、そのためのトリガをＰＡＮ管理機能２６へ送信し、このときＷｉＭＡＸ端末１９とのｂｉｎｄ情報（Ａ、Ｂ、Ｘ、Ｙ）を通知する。【００５３】
ＰＡＮ管理機能２６は、３ＧＰＰ端末１８よりハンドオーバトリガを受けると、前記ＳＩＰセッション情報にＷｉＭＡＸ端末１９とのｂｉｎｄ情報を追加して、ハンドオーバマネージメント情報３０（Ａ、Ｂ、Ｘ、Ｙ、Ｃ１）として保持する。そして、アドレスを取得したホームエージェントＨＡ＿Ａ２１およびＨＡ＿Ｂ２３に対して本情報３０を転送し、それぞれが保持する（３１、３２）。【００５４】
ユーザデータのフロー（Ｄｏｗｎｌｉｎｋ）
ＣＮ２０（アドレス：Ｃ１）からの３ＧＰＰ端末１８（ホームアドレス：Ａ）宛てのＤｏｗｎｌｉｎｋパケットは、ホームエージェントＨＡ＿Ａ２１のアドレス変換機能２２によって捕獲され、ハンドオーバマネージメント情報３１中に（Ａ、Ｃ１）のｂｉｎｄ情報があることを検知した上で、宛先をＷｉＭＡＸ端末１９のホームアドレスであるＢに書き換えて送信する。【００５５】
宛先がＢであるパケットはホームエージェントＨＡ＿Ｂ２３のサブネットに送信され、ＨＡ＿Ｂ２３にて捕獲される。ここで、ＷｉＭＡＸ端末１９のケアオブアドレスＣｏＡ＿Ｂ(ｂ)にてカプセリングされた後、ＷｉＭＡＸ端末１９に転送される。こうして、それまで３ＧＰＰ端末１８−ＣＮ２０間で構築されていたＳＩＰセッションはＷｉＭＡＸ端末１９−ＣＮ２０間のＳＩＰセッションとして開始される。【００５６】
ユーザデータのフロー（Ｕｐｌｉｎｋ）
ＷｉＭＡＸ端末１９（ホームアドレス：Ｂ）からＣＮ２０（アドレス：Ｃ１）宛てのＵｐｌｉｎｋパケットは、ホームエージェントＨＡ＿Ｂ２３までリバーストンネリングにてカプセリングして送信する（３３）。このとき、外側のヘッダの宛先はＨＡ＿Ｂ２３（アドレス：Ｙ）であり、送信元はＷｉＭＡＸ端末１９（ケアオブアドレス：ｂ）である。【００５７】
ホームエージェントＨＡ＿Ｂ２３がカプセリングパケットを受信すると、リバーストンネリングのパケットであることを検知した上でデカプセリングし、ＨＡ間カプセリング機能２４に渡す。【００５８】
ＨＡ間カプセリング機能２４は、ハンドオーバマネージメント情報３２中に（Ｂ、Ｃ１）のｂｉｎｄ情報があることを検知した上で、ホームエージェントＨＡ＿Ａ２１に転送するため、宛先がＨＡ＿Ａ２１（アドレス：Ｘ）、送信元がＨＡ＿Ｂ２３（アドレス：Ｙ）のカプセリングを行って転送する。【００５９】
ホームエージェントＨＡ＿Ａ２１がカプセリングパケットを受信すると、外側のヘッダの宛先が自身のアドレス（Ｘ）であることを検知した上で内部のヘッダの送信元と宛先を参照し、ハンドオーバマネージメント情報３１中に（Ｂ、Ｃ１）のｂｉｎｄ情報があることを検知した上でデカプセリングし、アドレス変換機能２２に渡す。【００６０】
アドレス変換機能２２は、保持しているハンドオーバマネージメント情報３１を参照して、送信元を３ＧＰＰ端末１８のホームアドレスであるＡに書き換えてＣＮ２０へ送信する。【００６１】
こうして、それまで３ＧＰＰ端末１８−ＣＮ２０間で構築されていたＳＩＰセッションはＷｉＭＡＸ端末１９−ＣＮ２０間のＳＩＰセッションとして開始される。【００６２】
なお、上述する各実施の形態は、本発明の好適な実施の形態であり、本発明の要旨を逸脱しない範囲内において種々変更実施が可能である。例えば、上記の各実施の形態における各ユーザ端末、セッション管理サーバの機能を実現するためのプログラムを各装置に読込ませて実行することにより各装置の機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線などを介して伝送波により他のコンピュータシステムに伝送されてもよい。【００６３】
上述する各実施の形態は、各ユーザ端末およびセッション管理サーバなどが別個に接続されているシステム構成について説明したが、各機能が１つのコンピュータシステムとして実現されている構成や機能毎に複数の装置などが追加された構成にも適用可能であることはもちろんである。
【図面の簡単な説明】
【００６４】
【図１】本発明の第１の実施形態におけるネットワークシステムの構成を示す図である。
【図２】本発明の第１の実施形態における処理動作を示す図である。
【図３】本発明の第２の実施形態におけるネットワークシステムの構成を示す図である。
【図４】本発明の第２の実施形態における処理動作を示す図である。
【符号の説明】
【００６５】
１    内蔵カメラ
１、２    ユーザ端末
３、２０    通信相手端末
４、６、２１、２３    ＨＡ（ホームエージェント）
５、２２    アドレス変換機能
７、２４    ＨＡ間カプセリング機能
８    セッション管理サーバ
９    ｂｉｎｄ情報管理機能
１０、２７    ＰＡＮ（Personal Area Network）
１１、１２    モバイル網
１３、１４、１５、３０、３１、３２    ハンドオーバマネージメント情報
１６、３３    リバーストンネリング時のパケットフォーマット
１７    端末のｂｉｎｄ情報
１８    ３ＧＰＰ端末
１９    ＷｉＭＡＸ端末
２５    ＳＩＰ  Ｓｅｒｖｅｒ
２６    ＰＡＮ管理機能
２８    ３ＧＰＰ網
２９    ＷｉＭＡＸ網
３４    ＷｉＭＡＸ端末のｂｉｎｄ情報
【図１】
0005163130.tif 000002
【図２】
0005163130.tif 000003
【図３】
0005163130.tif 000004
【図４】
0005163130.tif 000005